(57)【特許請求の範囲】
【請求項１】
筐体内に配置した呈示視標を観察させて視力を検査する視力計において、筐体に設けられた左右１対の遠用検査用の覗き窓と、遠用検査用の覗き窓の下方に設けられた左右一対の近用検査用の覗き窓とからなる検査用覗き窓と、左眼用の光路と右眼用の光路とを仕切って左右それぞれ専用の遠用検査用視標光路を持ち、遠用検査用視標光路と近用検査用視標光路とに上下方向に仕切られた視標光路と、左右それぞれに専用の遠用検査用視標と左右共通の近用検査用視標とを配置した視標ディスク板であって、左眼用遠用検査用視標、右眼用遠用検査用視標及び近用検査用視標を視標ディスク板の回転中心から異なる半径の円周上にそれぞれ配置するとともに、両眼視検査が可能なように左右の遠用検査用視標光路には同一の視標が配置される視標ディスク板と、近用検査用の覗き窓のそれぞれに配置されている、光路を選択的に開閉するシャッタと、を備えることを特徴とする視力計。
【発明の詳細な説明】
【０００１】
【発明の属する技術分野】
本発明は、視力検査などに使用する視力計に関する。
【０００２】
【従来技術】
被検眼が覗く双眼の覗き窓を設け、この覗き窓を介して筐体内に配置した呈示視標を観察させることにより、視力等の視機能を検査する視力計が知られている。従来、この種の視力計による遠用測定の視標呈示（遠方視力検査）と近用測定の視標呈示（近方視力検査）は、次のような構成で行われていた。
【０００３】
遠用測定時には、左右の覗き窓に配置した凸レンズにより、筐体内に呈示される検査視標を光学的に所定の遠方距離にして呈示する。近用測定時には、左右の覗き窓に配置した凸レンズを光路上から外すことにより、或いはレンズを入換えることにより、筐体内に呈示される検査視標を所定の近用距離にして呈示する。
【０００４】
【発明が解決しようとする課題】
しかしながら、上記のような視力計には次のような欠点があった。すなわち、被検者は遠用測定及び近用測定の両方とも同じ覗き窓を介して、前方に呈示される検査視標を見る構成であったので、累進多焦点レンズや２重焦点レンズ等を装用した場合での下方視の近用測定ができないという問題があった。この場合であっても、被検者が顔を上方に上げて傾けることにより、累進多焦点レンズや２重焦点レンズの近用部を通して、前方の視標を見ることを可能にできるが、被検者に無理な姿勢を強いるので、正確な測定ができない。
【０００５】
また、遠用測定から近用測定に移行する際には、覗き窓に配置したレンズの切換えが必要になるので、その切換え機構の構成が複雑になると共に、切換えを手動操作で行う場合には手間が掛かる。
【０００６】
本発明は、上記従来技術に鑑み、被検者が自然な状態での下方視の近用測定を行え、また、遠用測定と近用測定のための構成を複雑にさせずに、コンパクトで安価に構成することができる視力計を提供することを技術課題とする。
【０００７】
【課題を解決するための手段】
上記課題を解決するために、本発明は以下のような構成を備えることを特徴とする。
【０００８】
（１）  筐体内に配置した呈示視標を観察させて視力を検査する視力計において、筐体に設けられた左右１対の遠用検査用の覗き窓と、遠用検査用の覗き窓の下方に設けられた左右一対の近用検査用の覗き窓とからなる検査用覗き窓と、左眼用の光路と右眼用の光路とを仕切って左右それぞれ専用の遠用検査用視標光路を持ち、遠用検査用視標光路と近用検査用視標光路とに上下方向に仕切られた視標光路と、左右それぞれに専用の遠用検査用視標と左右共通の近用検査用視標とを配置した視標ディスク板であって、左眼用遠用検査用視標、右眼用遠用検査用視標及び近用検査用視標を視標ディスク板の回転中心から異なる半径の円周上にそれぞれ配置するとともに、両眼視検査が可能なように左右の遠用検査用視標光路には同一の視標が配置される視標ディスク板と、近用検査用の覗き窓のそれぞれに配置されている、光路を選択的に開閉するシャッタと、を備えることを特徴とする。
【００１２】
【発明の実施の形態】
本発明の実施の形態を図面に基づいて説明する。図１は本発明に係る視力計の外観を示した図である。
【００１３】
１は装置本体であり、装置本体１の上部には被検者が本体内部に呈示される遠用視標を覗き込むための左右の遠用検査窓２Ｒ，２Ｌ、近用視標を覗き込むための左右の近用検査窓７Ｒ，７Ｌが設けられている（近用検査窓と遠用検査窓は、外観的には上下が一つとなるように形成しても良い）。装置本体１の側面には検者用の操作パネル３、プリンタ８が配置されている。また、装置本体１の下部の前側には、本体内部に呈示された視標に対して被検者がその方向を応答するためのジョイスティック５、視標を判読できない時に応答する応答ボタン４が設けられている。６は自動検査モード時におけるスタートスイッチ、９は音声ガイドの指示が出力されるスピーカである。
【００１４】
図２は装置内部に配置される光学系を側面から見たときの概略図であり、制御系の構成も共に図示している。また、図３は装置内部の光学系を上部から見たときの概略図である。
【００１５】
左右の遠用検査窓２Ｒ，２Ｌにはそれぞれレンズ１０Ｒ，１０Ｌが配置され、後方の遠用視標窓１５Ｒ，１５Ｌにそれぞれ切替え配置される遠用検査視標が被検眼ＥＲ，ＥＬから見かけ上、光学的に５ｍの検査距離にされる。左右の光路は中央に仕切り板を持つ遠用内部カバー１１Ｒ，１１Ｌによって区分されている。遠用内部カバー１１Ｒ，１１Ｌの内面にはつや消しの白塗装が施されており、遠用照明ＬＥＤ１２Ｒ，１２Ｌの点灯によって照明される。
【００１６】
左右の近用検査窓７Ｒ，７Ｌにはシャッター１８Ｒ、１８Ｌが設けられており、測定眼に応じて開閉されると共に、近用測定時以外は閉じられる。近用検査用の光路は遠用光路と近用内部カバー１６によって区分されている。また、遠用視標窓１５Ｒ，１５Ｌの下方中央に設けられた近用視標窓１７に切換え配置される近用視標は、ミラー２７，２８による光路の折り曲げによって下方視の状態で呈示されると共に、被検眼ＥＲ、ＥＬから４０ｃｍの検査距離にされる。近用内部カバー１６の内面にもつや消しの白塗装が施されており、近用照明ＬＥＤ１３の点灯によって照明される。
【００１７】
遠用視標窓１５Ｒ，１５Ｌ、近用視標窓１７に検査視標を切替え配置する視標呈示部２０は、１枚の視標ディスク板２１と、視標ディスク板２１を回転駆動するためのパルスモータ２２と、視標ディスク板２１上の遠用視標を照明する２つの遠用照明ＬＥＤ２４Ｒ，２４Ｌと、視標ディスク板２１上の近用視標を照明する近用照明ＬＥＤ２６を備える。視標ディスク板２１の同一面上には、左右眼に同時に呈示するための対（ペア）となる右眼遠用視標と左眼遠用視標の他、近用視標も複数個形成されている（視標構成とその配置については後述する）。視標ディスク板２１を回転駆動するパルスモータ２２は、遠用左右の呈示光路及び近用の呈示光路の間に配置されており、装置がコンパクトになるようにしている。
【００１８】
図２において、３０は装置全体を制御する制御部であり、各ＬＥＤ、パルスモータ２２、スピーカ９に接続された音声ガイド発生部３１、応答ボタン４、ジョイスティック５、操作パネル３、シャッター１８Ｒ，１８Ｌ等の他、検査プログラムを記憶したメモリ３３が接続されている。
【００１９】
次に、視標ディスク板２１上に形成する視標について、図４を基に説明する。視標ディスク板２１は基体が白板ガラスからなり、透光性を有する。視標ディスク板２１上にはその回転中心Ｏから半径ｒ1の第１円周上に右眼遠用の種々の視標が並んだ右遠用視標列Ａが形成されており、回転中心Ｏから半径ｒ2の第２円周上に左眼遠用の種々の視標が並んだ左遠用視標列Ｂが形成されている。遠用視標列Ａ、Ｂには対となる同一視標が順次並べられており、視力値０．１〜１．０、１．２、１．５の１２段階でそれぞれ左右上下の４方向のランドルト環視標が遮光性を持つクロムコートにて形成されている。
【００２０】
右遠用視標列Ａと左遠用視標列Ｂに形成する各視標の位置関係は次のようになっている。すなわち、遠用視標窓１５Ｒ（図４上では点線枠１５Ｒ´で示している）の中心に右遠用視標列Ａ上の右遠用視標１０１（右方向に切れ目を持つ視力０．１用の視標）が位置したときには、この右遠用視標１０１と対となる左遠用視標列Ｂ上の同一の左遠用視標２０１（右方向に切れ目を持つ視力０．１用の視標）が遠用視標窓１５Ｌ（図４上では点線枠１５Ｌ´で示している）の中心に位置するように形成されている。遠用視標列Ａ，Ｂに順次並べられるその他の視標も、対となる同一視標が同じ位置関係になるように形成されている。
【００２１】
なお、遠用視標窓１５Ｒと１５Ｌとの中心間距離は、レンズ１０Ｒ，１０Ｌを通して視標を見た場合に、標準的な瞳孔間距離を持つ被検者が５ｍ先の目標物を見たときの輻輳時の瞳孔間距離となるように設計上定められている。したがって、遠用視標窓１５Ｒと１５Ｌとの中心間距離に対して、遠用視標列ＡとＢに並ぶ対の同一視標の中心間距離Ｘが等しくなるよう形成されている。
【００２２】
このように視標ディスク板２１上に形成された対となる右遠用視標及び左遠用視標は、各遠用視標窓１５Ｒ，１５Ｌに対する位置関係が共に一致するように配置されているため、被検者が本体内部を左右両眼で観察したときには、左右の遠用視標を容易に融像させて見ることができるようになる。
【００２３】
また、回転中心Ｏから半径ｒ3の第３円周上には、近用視標の視標列Ｃが形成されている。近用視標列Ｃには遠用視標列Ａ，Ｂと同様に視力値０．１〜１．０、１．２、１．５の１２段階でそれぞれ左右上下の４方向のランドルト環視標が並べられている。近用視標列Ｃ上の近用視標を配置する近用視標窓１７（図４上では点線枠１７´で示している）は、遠用視標窓１５Ｒと１５Ｌを結んだ線の垂直二等分線上にあり、かつ、回転中心Ｏから半径ｒ3の第３円周上の近用視標列Ｃが位置するようにその高さ位置が決定されている。
【００２４】
近用視標窓１７に配置される近用視標の光束は、図２に示したように、ミラー２８、２７により呈示光路が曲げられて被検眼ＥＲ，ＥＬに導かれる。ここで、遠用検査の光軸Ｌ１に対する近用検査光軸Ｌ２の角度θは、標準的な累進多焦点レンズや二重焦点レンズの装用時に対応する近用部を通過して、近用視標が被検眼に導かれるように、ミラー２８、２７の配置が設定されている。したがって、異なる高さで遠用視標と近用視標を呈示する場合であっても、１枚の視標ディスク板２１上に両者の視標を配置しつつ、これを小型にできる。
【００２５】
なお、対となる左右遠用及び近用の視標は視標ディスク板２１の同一円周上に一列で形成しても良いが、多数種類の視標を並べる場合にはディスク板が大型化して不利となる。これに対して、上記のように異なる円周上に右遠用、左遠用、及び近用を並べるようにすれば、さらにディスク板を小型にでき、装置全体もコンパクトにできる。
【００２６】
以上のような構成を備える装置の動作を、図５に示す操作パネル３のスイッチ構成図を使用して説明する。なお、本装置には手動モード、自動モード（音声ガイドに被検者がスイッチ操作することでプログラムに従って検査が進められるモード）、半自動モード（自動モードに対して被検者の口頭による応答内容を検者が入力することによりプログラムに従って検査が進められるモード）の３つの検査モードが用意されており、操作パネル３のモード選択スイッチ４０により何れかを選択することができる。ここでは自動モードによる検査を中心に説明する。
【００２７】
検者はスタートスイッチ６を押すと、制御部３０はＬＥＤ１２Ｒ，１２Ｌ及びＬＥＤ２４Ｒ，２４Ｌを点灯する共に、視標窓１５Ｒ，１５Ｌに視力値０．１の視標を呈示する。スピーカ９からは「右手で軽くレバーを持ち、左手は手前のボタンに添えて、窓を覗いて下さい。」との音声ガイドが発生される。続いて、「視力を計ります。輪の切れた方向に軽くレバーを倒して下さい。方向が分からないときは、手前のボタンを押して下さい。」との音声ガイドが発生され、被検者がジョイスティック５で応答すると、視力検査のプログラムが実行される。
【００２８】
視力検査は遠方視力と近方視力の測定が、それぞれ右眼、左眼、両眼の順で行われるようにプログラムされている。初めに、右眼検査として視標窓１５Ｒには初期視標として視力値０．５の視標が呈示される。なお、左眼の視野は内部照明用のＬＥＤ１２Ｌと視標照明用のＬＥＤ２４Ｌを消灯しておくことにより遮蔽状態と等価にされる。
【００２９】
制御部３０の制御によって、スピーカ９からは音声ガイドにより「方向は？」とアナウンスされ、視標方向が判別できたら被検者はジョイスティック５をその方向に倒すように指示される。被検者が視標の判別結果をジョイスティック５で応答すると、制御部３０によりその正誤が判定される。応答が正しければ、一段階上げられた視力値の視標が呈示され、誤りであれば一段階下げられた視力値の視標が呈示される。一段階上げて誤答であった場合、もしくは応答ボタン４により判読不能の応答があった場合には、視力値を見えていた段階まで戻し、さらに視標方向を変えて検査を続ける。こうして被検者に呈示する視標がプログラムに従って順次変更され、応答の正誤判定により、同一視力視標で２回以上正答があれば、その視力があるものとして制御部３０によって視力値が判定される。
【００３０】
右眼の遠用視力検査が終了すると、同様に左眼の検査、両眼の検査が行われ、それぞれの検査結果が得られる。両眼検査が終了すると、スピーカ９からは「遠方の視力測定が終わりました。次に、手元４０ｃｍの視力を計ります。計る場合はレバーを倒して下さい。計らない場合は手前のボタンを押して下さい。」と音声ガイドが発せられる。被検者がジョイスティック５で応答することにより、近方視力検査のプログラムが実行される。
【００３１】
制御部３０は、遠用検査用の各ＬＥＤをすべて消灯状態とすると共に、近用検査窓７Ｒ，７Ｌのシャッター１８Ｒ、１８Ｌを開き、近用検査用のＬＥＤ１３と近用照明ＬＥＤ２６を点灯する。また、制御部３０の制御によって、スピーカ９からは音声ガイドにより「輪の切れた方向に軽くレバーを倒して下さい。方向が分からないときは、手前のボタンを押して下さい。」との音声ガイドが発生された後、近用視標窓１７には視力値０．５の近用視標が呈示され、同様に検査プログラムに従って両眼による近方視力検査が行われる。
【００３２】
この近用検査に際しては、被検者は遠用検査の状態から眼球を回旋して下方視することで近用視標を見ることができるので、正確な検査結果を得ることができる。
【００３３】
手動モードでの検査の場合には、検者はスイッチ４２ａ、４２ｂにより遠用検査と近用検査の区別を選択して各検査を行う。また、視力スイッチ４５ａにより呈示する視標の視力値を選ぶと共に、操作パネル３の中央に設けられた４つの視標スイッチ４６ａ〜４６ｄで呈示する視標の方向を選択する。これにより、選択された所望の視標が被検者に呈示される。検者は被検者に視標の判別について尋ね、被検者の口頭による応答の正誤をＬＥＤ３７ａ〜３７ｄの点灯により確認して検査を進める。視力値は４５ｂに表示され、最後に表示されている値が測定結果とされる。
【００３４】
なお、手動モードにおける左右個別の検査及び両眼検査の区別は、スイッチ４１により選択して行う。近用検査時に右眼が選択された場合はシャッター１８Ｒが開き、左眼が選択された場合はシャッター１８Ｌが開く。これにより、左右眼の個別の近用検査も可能である。
【００３５】
【発明の効果】
以上説明したように、本発明によれば、被検者が自然な状態での下方視の近用測定を行え、正確な検査結果を得ることができる。また、遠用測定と近用測定のための構成を複雑にさせずに、コンパクトで安価な装置を実現できる。
【図面の簡単な説明】
【図１】装置の外観を示す図である。
【図２】光学系と制御系を示す図である。
【図３】装置内部の光学系を上部から見たときの概略図である。
【図４】視標ディスク板の詳細を示す図である。
【図５】コントロールパネルの詳細を示す図である。
【符号の説明】
２Ｒ、２Ｌ  遠用検査窓
７Ｒ、７Ｌ  近用検査窓
１５Ｒ、１５Ｌ  遠用視標窓
１７  近用視標窓
１８Ｒ、１８Ｌ  シャッター
２０  視標呈示部
２１  視標ディスク板
２７  ミラー
２８  ミラー
３０  制御部
１０１  右遠用視標
２０１  左遠用視標
【図１】
0003828692.tif 000002
【図２】
0003828692.tif 000003
【図３】
0003828692.tif 000004
【図４】
0003828692.tif 000005
【図５】
0003828692.tif 000006